(57)【特許請求の範囲】
【請求項１】
ユーザによって着用されるように構成されるフレキシブルタッチパッドであって、第１の伝送ライン及び第２の伝送ラインを含むフレキシブルタッチパッドと、
前記フレキシブルタッチパッドに搭載された集積回路であって、前記第１の伝送ラインを通じて第１の電気信号を送信すること、及び前記第１の伝送ラインにおけるインピーダンスの局所的な変化を判断すること、並びに前記第２の伝送ラインを通じて第２の電気信号を送信すること、及び前記第２の伝送ラインにおけるインピーダンスの局所的な変化を判断することによって、前記フレキシブルタッチパッドへの接触を解釈するように構成される集積回路と
を備え、
前記第１の伝送ライン及び前記第２の伝送ラインは、いくつかの位置で互いに交差する、ウェアラブルコンピューティングデバイス。
【請求項２】
前記第１の電気信号及び前記第２の電気信号は、各々、無線周波数信号である、請求項１に記載のウェアラブルコンピューティングデバイス。
【請求項３】
前記第１の伝送ラインは、前記第１の伝送ラインと交差せずに、前記フレキシブルタッチパッド上で脇から脇へ行ったり来たり蛇行し、前記第２の伝送ラインは、前記第２の伝送ラインと交差せずに、前記フレキシブルタッチパッド上で脇から脇へ行ったり来たり蛇行する、請求項１又は２に記載のウェアラブルコンピューティングデバイス。
【請求項４】
前記集積回路は、時間領域反射率測定法を用いて、前記第１の伝送ラインにおけるインピーダンスの前記局所的な変化を判断し、時間領域反射率測定法を用いて、前記第２の伝送ラインにおけるインピーダンスの前記局所的な変化を判断する、請求項１から３のいずれか一項に記載のウェアラブルコンピューティングデバイス。
【請求項５】
前記第１の伝送ライン及び前記第２の伝送ラインは、前記第１の伝送ライン及び前記第２の伝送ラインが互いに交差するところで、互いに直交する、請求項１から４のいずれか一項に記載のウェアラブルコンピューティングデバイス。
【請求項６】
ユーザによって着用されるように構成されるフレキシブルタッチパッドであって、第１の光ファイバ及び第２の光ファイバを含むフレキシブルタッチパッドと、
前記第１の光ファイバの端部の第１の検出器と、
前記第２の光ファイバの端部の第２の検出器と、
前記フレキシブルタッチパッドに搭載された集積回路であって、前記第１及び第２の光ファイバを通じて前記第１及び第２の検出器のそれぞれに放射線を送信することによって、前記フレキシブルタッチパッドへの接触を解釈するように構成される集積回路と
を備え、
前記第１及び第２の光ファイバが前記フレキシブルタッチパッドへの接触に起因して強制的に互いに近づけられる場合、前記放射線は、前記第１及び第２の光ファイバの間を伝播し、前記フレキシブルタッチパッドへの前記接触の位置は、前記第１及び第２の光ファイバを通じた前記第１及び第２の検出器のそれぞれへの前記放射線の伝播時間を分析することによって決定される、ウェアラブルコンピューティングデバイス。
【請求項７】
前記放射線は光である、請求項６に記載のウェアラブルコンピューティングデバイス。
【請求項８】
前記第１の光ファイバは、交差せずに、前記フレキシブルタッチパッド上で脇から脇へ行ったり来たり蛇行し、前記第２の光ファイバは、交差せずに、前記フレキシブルタッチパッド上で脇から脇へ行ったり来たり蛇行し、前記第１の光ファイバ及び前記第２の光ファイバは、いくつかの位置で互いに交差する、請求項６又は７に記載のウェアラブルコンピューティングデバイス。
【請求項９】
前記第１の光ファイバ及び前記第２の光ファイバは、前記フレキシブルタッチパッドへの接触に起因して互いに接触し、前記放射線の伝播時間は、（ｉ）第１の放射線が、前記第１の光ファイバを通じて前記第２の光ファイバへそして前記第２の検出器へ移動する、及び（ｉｉ）第２の放射線が、前記第２の光ファイバを通じて前記第１の光ファイバへそして前記第１の検出器へ移動するために要する合計時間を測定することによって決定される、請求項８に記載のウェアラブルコンピューティングデバイス。
【請求項１０】
前記第１の放射線は、前記第２の放射線と異なる周波数である、請求項９に記載のウェアラブルコンピューティングデバイス。
【請求項１１】
前記第１及び第２の光ファイバは、各々、それを通じて前記放射線が伝播するコアと、複数の前記コアとそれぞれのクラッドとの間の界面での反射を可能にするために、前記コアより低い屈折率を有するクラッドとを含む、請求項６に記載のウェアラブルコンピューティングデバイス。
【請求項１２】
複数の前記クラッドは、前記フレキシブルタッチパッドに接触している状態で前記複数のコアを共に移動させることを促進するために圧縮性があり、前記複数のコアは、前記フレキシブルタッチパッドに接触している状態で前記複数のコアの間の表面領域接触を増加させるために圧縮性がある、請求項１１に記載のウェアラブルコンピューティングデバイス。
【請求項１３】
ウェアラブルコンピューティングデバイスであって、
ユーザによって着用されるように構成されるフレキシブルタッチパッドと、
前記フレキシブルタッチパッドに搭載され、前記フレキシブルタッチパッドへの接触を解釈する集積回路であって、特定の周波数の電気信号を生成して前記ユーザを通じて送信し、前記ユーザが前記フレキシブルタッチパッドに接触する場合、前記ユーザを通じて前記フレキシブルタッチパッドへ前記特定の周波数の電気信号を伝える集積回路と
を備え、
前記集積回路は、他のユーザではなく、前記ウェアラブルコンピューティングデバイスを着用している前記ユーザによって接触が行われる場合、前記フレキシブルタッチパッドへの接触を検出する、
ウェアラブルコンピューティングデバイス。
【請求項１４】
前記フレキシブルタッチパッドは、繊維に組み込まれるように構成される、請求項１３に記載のウェアラブルコンピューティングデバイス。
【請求項１５】
前記フレキシブルタッチパッドに搭載された送受信機であって、別個の電子デバイスへ及びから信号を送信及び受信する送受信機
をさらに備え、
前記別個の電子デバイスは、前記ユーザによって着用されるように構成される、請求項１３又は１４に記載のウェアラブルコンピューティングデバイス。
【請求項１６】
前記集積回路は、前記ユーザを通じて前記特定の周波数の電気信号を送信し、前記フレキシブルタッチパッドは、前記接触が前記特定の周波数の電気信号を前記フレキシブルタッチパッドに通過させる場合だけ、前記ユーザによる前記フレキシブルタッチパッドへの接触を認識する、請求項１３から１５のいずれか一項に記載のウェアラブルコンピューティングデバイス。
【請求項１７】
前記集積回路は、前記ユーザを通じて前記ユーザの指に前記特定の周波数の電気信号を送信する、請求項１３から１６のいずれか一項に記載のウェアラブルコンピューティングデバイス。
【発明の詳細な説明】
【技術分野】
【０００１】
本明細書で説明される実施形態は、概して、コンピューティングデバイスに、より具体的には、ウェアラブルコンピューティングデバイスに関する。
【背景技術】
【０００２】
複数のウェアラブルコンピューティングデバイスは、計算能力がアプリケーションを強化するために利用され得る場合において、異なる複数のタイプのアプリケーションを管理することへの様々な取り組みを可能にする。例として、ヘルスケア及びフィットネスが、複数のウェアラブルコンピューティングデバイスを利用し得るほんの２つのアプリケーションの例である。
【０００３】
いくつかの既存のウェアラブルコンピューティングデバイスは、眼鏡、ブレスレット、及びスマートウォッチを含む。時折、デバイスのサイズ及び／又は形状は、ウェアラブルコンピューティングデバイスに入力を与えるユーザ入力を提供することを難しくする。例として、スマートウォッチ及びブレスレットは、デバイス上の複数のタッチセンサ式の表面によって、又は複数のノブで操作され得る。
【０００４】
他の複数のウェアラブルコンピューティングデバイス（例えば、眼鏡）は、複数のノブを用いて操作することが困難であり得る。眼鏡へのユーザ入力は、複数の音声操作コマンド、眼鏡の前での手の動作認識、又は眼の動きの制御によって行われ得る。
【０００５】
重要性が高まっている複数のウェアラブルコンピューティングデバイスの１つの分野は、複数の集積電子デバイスを含む複数の繊維に関する。これらのウェアラブルコンピューティングデバイスは、一般的に、ユーザインターフェースを必要とする。いくつかの形態において、タッチパッドは、ユーザ入力を受け取り、及び／又はデータを表示するために、繊維の中に組み込まれる。
【０００６】
通常の複数のタッチパッドシステムに伴う複数の課題のうちの１つは、それらが、一般的に、各々がそれの自体の検出器によって監視される必要がある多数の導電ラインを必要とするということである。さらに、そのような複数のタッチパッドをより大きいサイズに拡大することは、導電ライン及び対応する検出器の数を増加させることを意味する。
【０００７】
タッチパッドの１つの共通のタイプは、複数の静電容量型タッチパッドに関する。複数の静電容量型タッチパッドは、タッチパッドの近くの誘電率の変化に敏感である。複数の静電容量型タッチパッドは、体に着用されることが意図される複数の繊維の中に組み込まれる複数のウェアラブルコンピューティングデバイスに組み込まれ得る。
【０００８】
体に着用されることが意図される複数の繊維に複数の静電容量型タッチパッドを組み込むことに伴う複数の欠点のうちの１つは、ウェアラブルコンピューティングデバイスを着用している人の体との容量性の相互作用による強いノイズが頻繁にあり得るということである。体との容量性の相互作用に起因するこの強いノイズは、ウェアラブルコンピューティングデバイスの性能に悪影響を与え得る。
【図面の簡単な説明】
【０００９】
【図１】複数のウェアラブルコンピューティングデバイスが人体上に配置され得る場所の例を示す概略図である。
【００１０】
【図２】境界領域を有するタッチパッドを含む例示的なウェアラブルコンピューティングデバイスの上面図である。
【００１１】
【図３】ウェアラブルコンピューティングデバイスがフックアンドループ取付システムを含む場合の図２のウェアラブルコンピューティングデバイスを示す。
【００１２】
【図４】ウェアラブルコンピューティングデバイスが接着剤を含む場合の図２のウェアラブルコンピューティングデバイスを示す。
【００１３】
【図５】例示的なパーソナライズされたウェアラブルコンピューティングデバイスの概略側面図を示す。
【００１４】
【図６】タッチパッドに組み込まれた複数の伝送ラインを含む別の例示的なウェアラブルコンピューティングデバイスを示す。
【図７】タッチパッドに組み込まれた複数の伝送ラインを含む別の例示的なウェアラブルコンピューティングデバイスを示す。
【図８】タッチパッドに組み込まれた複数の伝送ラインを含む別の例示的なウェアラブルコンピューティングデバイスを示す。
【００１５】
【図９】タッチパッドに組み込まれた複数の光ファイバを含む別の例示的なウェアラブルコンピューティングデバイスを示す。
【図１０】タッチパッドに組み込まれた複数の光ファイバを含む別の例示的なウェアラブルコンピューティングデバイスを示す。
【００１６】
【図１１】図９−１０に共に示される複数の光ファイバを複数の光ファイバの間に光を通過させるようにすることの進行を示す。
【図１２】図９−１０に共に示される複数の光ファイバを複数の光ファイバの間に光を通過させるようにすることの進行を示す。
【図１３】図９−１０に共に示される複数の光ファイバを複数の光ファイバの間に光を通過させるようにすることの進行を示す。
【００１７】
【図１４】タッチパッドを含む別の例示的なウェアラブルコンピューティングデバイスを示す。
【００１８】
【図１５】本明細書で説明される複数の電子アセンブリ及び／又は複数の電子パッケージを含む電子装置のブロック図である。
【発明を実施するための形態】
【００１９】
以下の説明及び図面は、当業者がそれらを実施することを可能にするように具体的な実施形態を十分に示す。他の実施形態は、構造的な、論理的な、電気的な、処理の、及び他の変化を組み込んでよい。いくつかの実施形態の複数の部分及び複数の特徴は、他の実施形態のものに含まれ又は代用されてよい。複数の請求項で記述される実施形態は、これらの請求項の全ての利用可能な均等物を包含する。
【００２０】
本願において用いられるような、例えば「水平」のような向きを表す用語は、ウェハ又は基板の向きに関わらず、ウェハ又は基板の通常の平面又は表面に平行な平面に対して定義される。用語「垂直」は、上で定義されたような「水平」に直交する方向を指す。例えば、「上に（ｏｎ）」、「側（ｓｉｄｅ）」（「側壁（ｓｉｄｅｗａｌｌ）」におけるような）、「より高い（ｈｉｇｈｅｒ）」、「より低い（ｌｏｗｅｒ）」、「上方に（ｏｖｅｒ）」、及び「下方に（ｕｎｄｅｒ）」のような前置詞は、ウェハ又は基板の向きに関わらず、ウェハ又は基板の上面にある通常の平面又は表面に対して定義される。
【００２１】
図１は、複数のウェアラブルコンピューティングデバイスが人体Ｂに配置され得る例示的な場所Ｘを示す概略図である。「タッチパッド」のようなインターフェースを含むいくつかの例示的なウェアラブルコンピューティングデバイスが、本明細書で説明される。いくつかの形態において、複数の例示的なウェアラブルコンピューティングデバイスは、複数の繊維（つまり、衣類）と一体化され（又はに取り付けられ）てよい。他の形態において、複数の例示的なウェアラブルコンピューティングデバイスは、複数の例示的なウェアラブルコンピューティングデバイスのいずれかを利用する誰かの皮膚に直接取り付けられ（つまり、包帯に類似し）てよい。
【００２２】
本明細書で説明される複数の例示的なウェアラブルコンピューティングデバイスは、ウェアラブルコンピューティングデバイスのユーザに、ウェアラブルコンピューティングデバイスをより容易に操作させ得るフレキシブルタッチパッドを含む。例として、フレキシブルタッチパッドは、動かされてよいカーソル、又は複数のアイテムが別の方法で（例えば、複数のラップトップ及び複数のスマートフォンで行われるものと同様の方法で）「クリック」され得るために、複数のアイテムを含んでよい。
【００２３】
本明細書で説明される複数の例示的なウェアラブルコンピューティングデバイスは、様々な電子機器を含んでよい。いくつかの例は、他のタイプの電子機器の中の電源及び／又は通信デバイスを含む。
【００２４】
さらに、ユーザは、指をもじもじすること又はコマンドを話すことを必要としないフレキシブルタッチパッドを含むウェアラブルコンピューティングデバイスをより容易に操作することが可能であってよく、それによってユーザのプライバシーを維持する。指をもじもじする及び／又はコマンドを話すことを除外することは、オンラインバンキング又はパスワードタイピングの応用にとって特に重要であり得る。
【００２５】
既存の複数のシステムに伴う複数の欠点のうちの１つは、バックグラウンドノイズに起因して、話されたコマンドを間違って解釈するシステムによって引き起こされる不正確なユーザ入力があり得ることである。既存の複数のシステムに伴う複数の欠点のうちの別のものは、システムの近くの動きによって引き起こされる望まれていないユーザ入力があり得ることである。例として、システムの近くの動きは、そのようなシステムによって望まれていない及び／又は間違って解釈される入力ジェスチャ分析を引き起こし得る。
【００２６】
図２は、例示的なウェアラブルコンピューティングデバイス１のユーザによって着用されるように構成されるフレキシブル支持部２を含む例示的なウェアラブルコンピューティングデバイス１の上面図である。例示的なウェアラブルコンピューティングデバイス１は、フレキシブル支持部２に搭載されたフレキシブルタッチパッド３をさらに含む。
【００２７】
本明細書で用いられるように、「フレキシブル」は、フレキシブルタッチパッド３及びフレキシブル支持部２の曲がる能力を指す。曲げの量は、本明細書で説明される複数の例示的なウェアラブルコンピューティングデバイス１、１０、２０、３０、４０のいずれが用いられる応用に部分的に基づいて決定される。例として、本明細書で説明される複数の例示的なウェアラブルコンピューティングデバイスが、複数の繊維（つまり、衣類）と一体化され（又はに着脱可能に接続され）る場合と、対照的に、本明細書で説明される複数の例示的なウェアラブルコンピューティングデバイスが、複数の例示的なウェアラブルコンピューティングデバイス１、１０、２０、３０、４０のいずれかを利用する誰かの皮膚に直接取り付けられる場合とで、曲げの角度は異なってよい。
【００２８】
例示的なウェアラブルコンピューティングデバイス１は、フレキシブル支持部２に搭載された（複数の）集積回路４をさらに含む。集積回路４は、フレキシブルタッチパッド３への接触を解釈する。
【００２９】
例示的なウェアラブルコンピューティングデバイス１に含まれる（複数の）集積回路４のタイプは、例示的なウェアラブルコンピューティングデバイス１が実行すべき複数の操作に部分的に依存する。集積回路４は、現在知られている又は将来発見される任意のタイプの集積回路であってよいことに留意すべきである。
【００３０】
例示的なウェアラブルコンピューティングデバイス１は、フレキシブル支持部２に搭載された送受信機６をさらに含む。送受信機６は、別個の電子デバイス７へ及びから（例えば、Ｂｌｕｅｔｏｏｔｈ（登録商標）、Ｚｉｇｂｅｅ（登録商標）等によって）無線信号を送信及び受信する。
【００３１】
別個の電子デバイス７は、また、ユーザによって着用され（例えば、眼鏡又は電源として）、又はユーザの体から離れたエンティティとして動作してよい。いくつかの形態において、別個の電子デバイス７は、フレキシブルタッチパッド３の隣に、フレキシブルタッチパッド３の下に、又は例示的なウェアラブルコンピューティングデバイス１の形態に依存して体に接した又は離れた他のどこにあってもよい。
【００３２】
別個の電子デバイス７の包含は、フレキシブル支持部２及びフレキシブルタッチパッド３を含むウェアラブルコンピューティングデバイス１が（ｉ）衣類に組み込まれた複数の繊維の中に構成され（ｉｉ）ユーザによって着用される衣類に着脱可能に接続されるように構成され、及び／又は（ｉｉｉ）ユーザの皮膚に着脱可能に直接搭載されるように構成されることをより容易にさせ得る。
【００３３】
図２に示される例示的なウェアラブルコンピューティングデバイス１において、フレキシブルタッチパッド３は、境界領域８を含む。集積回路４及び送受信機６は、フレキシブルタッチパッド３の境界領域８にあってよい。
【００３４】
図３に示されるように、例示的なウェアラブルコンピューティングデバイス１は、ウェアラブルコンピューティングデバイス１をユーザの体に選択的に取り付けるための着脱機構９をさらに含んでよい。図３は、着脱機構９がフックアンドループ取付システムＨを含む場合の図２のウェアラブルコンピューティングデバイス１を示す。図４は、ウェアラブルコンピューティングデバイス１が接着剤Ａを用いてユーザの皮膚又は衣類に着脱可能に接続され得るように、着脱機構９が接着剤Ａを含む場合の図２のウェアラブルコンピューティングデバイス１を示す。
【００３５】
図５は、ウェアラブルコンピューティングデバイス１０への複数のユーザ入力がパーソナライズされ得る場合の例示的なウェアラブルコンピューティングデバイス１０の概略側面図を示す。ウェアラブルコンピューティングデバイス１０は、ウェアラブルコンピューティングデバイス１０を着用するユーザＵによって着用されるように構成されるフレキシブル支持部１１を含む。
【００３６】
ウェアラブルコンピューティングデバイス１０は、フレキシブル支持部１１に搭載されたフレキシブルタッチパッド１２と、フレキシブル支持部１１に搭載された集積回路１３とを含む。集積回路１３は、他の複数のユーザではなく、ウェアラブルコンピューティングデバイス１０を着用しているユーザＵによって接触が行われる場合だけ、フレキシブルタッチパッド１２への接触を検出する。
【００３７】
いくつかの形態において、集積回路１３は、ユーザの皮膚を通じて電気信号１４を送信することによって、他の複数のユーザではなく、ウェアラブルコンピューティングデバイスを着用しているユーザＵによって接触が行われていることだけを判断する。フレキシブルタッチパッド１２は、接触が電気信号１４をフレキシブルタッチパッド１２に通過させる場合だけ、フレキシブルタッチパッド１２への接触を認識する。例として、集積回路１３は、ユーザの皮膚を通じてユーザの指Ｆに電気信号１４を送信してよい。
【００３８】
集積回路１３は、ユーザによるフレキシブルタッチパッド１２への接触をパーソナライズすることに適し得る任意のタイプの電気信号１４を生成してよいことに留意すべきである。例として、電気信号１４は、指定されたトリガ周波数であってよい。ユーザの皮膚がウェアラブルコンピューティングデバイス１０に接触している場合、ウェアラブルコンピューティングデバイス１０は、トリガ周波数を認識し、ウェアラブルコンピューティングデバイス１０への入力として接触を認識し得る。
【００３９】
したがって、ウェアラブルコンピューティングデバイス１０は、正しいトリガ周波数を伴わない指定されていないユーザによって接触される場合、ウェアラブルコンピューティングデバイス１０は、入力を無視し得る。トリガ周波数をパーソナライズすることは、ウェアラブルコンピューティングデバイス１０に誤って接触する他の人による望まれていない入力を回避し得る。
【００４０】
いくつかの形態において、低い電圧のトリガ周波数が、ウェアラブルコンピューティングデバイス１０上の接点１６（例えば、銅スタッド又はボドキン）によって、ウェアラブルコンピューティングデバイス１０から指定されたユーザＵの皮膚に印加され得る。特に、指定されたユーザが、バス、電車等のような混み合った場所においてウェアラブルコンピューティングデバイス１０を操作している場合、ウェアラブルコンピューティングデバイス１０に接触する場合に適切なトリガ周波数を必要とすることは、ウェアラブルコンピューティングデバイス１０上の望まれていない複数の入力を回避し得る。
【００４１】
図６は、フレキシブルタッチパッド２２に組み込まれたフレキシブル伝送ライン２１Ａを含む別の例示的なウェアラブルコンピューティングデバイス２０を示す。フレキシブルタッチパッド２２は、ユーザによって着用されるように構成される。ウェアラブルコンピューティングデバイス２０は、フレキシブル伝送ライン２１Ａの端部に第１の検出器２４Ａをさらに含む。
【００４２】
ウェアラブルコンピューティングデバイス２０は、フレキシブルタッチパッド２２に搭載された集積回路２３をさらに含む。集積回路２３は、第１の伝送ライン２１Ａを通じて第１の電気信号を送信すること、及び（例として）時間領域反射率測定法を用いることで第１の伝送ライン２１Ａにおけるインピーダンスの局所的な変化を判断することによって、フレキシブルタッチパッド２２への接触を解釈する。（例えば、点Ｐにおいて）伝送ライン２１Ａに接触して変形させることは、それのラインのインピーダンスの局所的な変化につながる。
【００４３】
フレキシブルタッチパッド２２上の伝送ライン２１Ａの蛇行構造は、不完全な位置特定を可能にし得る。図７に示されるように、伝送ライン２１Ａによって提供される不完全な位置特定は、領域Ａ１内にあってよい。
【００４４】
図８に示されるように、フレキシブルタッチパッド２２は、第２のフレキシブル伝送ライン２１Ｂをさらに含む。集積回路２３は、第２の伝送ライン２１Ｂを通じて第２の電気信号を送信すること、及び（例として）時間領域反射率測定法を用いることで第２の伝送ライン２１Ｂにおけるインピーダンスの局所的な変化を判断することによって、フレキシブルタッチパッド２２への接触を解釈する。ウェアラブルコンピューティングデバイス２０は、第２のフレキシブル伝送ライン２１ｂの端部に第２の検出器２４Ｂをさらに含む。
【００４５】
２つの重なり合う伝送ライン２１Ａ、２１Ｂからの情報を組み合わせることは、より正確な接触の位置特定を可能にし得る。フレキシブルタッチパッド２２上で脇から脇へ行ったり来たりする伝送ライン２１Ａ、２１Ｂの蛇行構造は、さらなる位置特定を可能にし得る。例として、伝送ライン２１Ａ、２１Ｂからの情報を組み合わせることで、位置特定が領域Ａ２内にさらに狭くされ得る。
【００４６】
図８に示される例示的な形態において、第２の伝送ライン２１Ｂは、第１及び第２の伝送ライン２１Ａ、２１Ｂが互いに交差する複数の点のそれぞれにおいて、伝送ライン２１Ａに垂直に方向付けられる。他の形態において、伝送ライン２１Ａ、２１Ｂは、他の角度で交差してよいことに留意すべきである。
【００４７】
ウェアラブルコンピューティングデバイス２０の１つの潜在的なメリットは、タッチパッド２２のサイズが増加するにつれて、検出器の数が増加しないことである。例として、ウェアラブルコンピューティングデバイス２０は、通常のタッチパッドで必要とされる多数の検出器の代わりに、２つの検出器２４Ａ、２４Ｂだけを必要とし得る。したがって、フレキシブルタッチパッド２２の分解能は、ウェアラブルコンピューティングデバイス２０をフレキシブルタッチパッド２２のサイズの広い範囲での使用に適応させるフレキシブルタッチパッド２２の領域に関係しない。
【００４８】
さらに、ウェアラブルコンピューティングデバイス２０が衣類に組み込まれる場合、ウェアラブルコンピューティングデバイス２０を着用する人の体との容量結合に起因するノイズがない。容量結合がないことは、ウェアラブルコンピューティングデバイス２０の性能を改善し得る。
【００４９】
ウェアラブルコンピューティングデバイス２０のいくつかの形態において、伝送ライン２１Ａ、２１Ｂは、フレキシブルタッチパッド２２に組み込まれた複数の同軸ライン又は複数のツイストペアラインである。伝送ライン２１Ａ、２１Ｂのそれぞれのレイアウトは、（例えば、図８に示される蛇行型の幾何学形状で）タッチパッド２２の全領域をカバーしてよい。
【００５０】
上で議論されたように、伝送ライン２１Ａ、２１Ｂのそれぞれに接触して変形させることは、各伝送ライン２１Ａ、２１Ｂのインピーダンスの局所的な変化につながる。いくつかの形態において、複数の無線周波数パルスが、それぞれの伝送ライン２１Ａ、２１Ｂに供給される。それぞれの無線周波数パルスは、接触して変形させることによって生成されるインピーダンスの不連続によって反射される。
【００５１】
各伝送ラインに沿った変形の位置は、元のパルスと反射パルスとの間の時間から（例えば、時間領域反射率測定法を用いて）計算され得る。さらに、第１及び第２の検出器２４Ａ、２４Ｂは、各伝送ライン２１Ａ、２１Ｂに沿った変形の位置を検出すべく、各伝送ライン２１Ａ、２１Ｂのそれぞれのために用いられてよい。
【００５２】
ウェアラブルコンピューティングデバイス２０の分解能は、伝播パルスと反射パルスとの間の遅延がどの程度正確に測定されることができるかに部分的に依存し得る。分解能は、ウェアラブルコンピューティングデバイス２０をより長いライン長さ、そして、対応してより大きいフレキシブルタッチパッド２２の領域に容易に拡大可能にさせる伝送ライン２１Ａ、２１Ｂの絶対長さに依存しない。
【００５３】
図９は、ユーザによって着用されるように構成されるフレキシブルタッチパッド３２を含むウェアラブルコンピューティングデバイス３０の代替の形態を示す。ウェアラブルコンピューティングデバイス２０と比較すると、２つの伝送ライン２１Ａ、２１Ｂは、第１及び第２の光ファイバ３１Ａ、３１Ｂによって置き換えられ得る。ウェアラブルコンピューティングデバイス３０は、第１の光ファイバ３１Ａの端部の第１の検出器３３Ａと、第２の光ファイバ３１Ｂの端部の第２の検出器３３Ｂとをさらに含む。
【００５４】
ウェアラブルコンピューティングデバイス３０は、フレキシブルタッチパッド３２に搭載された集積回路３４をさらに含む。集積回路３４は、第１及び第２の光ファイバ３１Ａ、３１Ｂを通じて第１及び第２の検出器３３Ａ、３３Ｂのそれぞれに放射線を送信することによって、フレキシブルタッチパッド３２への接触を解釈する。第１及び第２の光ファイバ３１Ａ、３１Ｂが、フレキシブルタッチパッド３２への接触に起因して強制的に互いに近づけられる場合、放射線は、第１及び第２の光ファイバ３１Ａ、３１Ｂの間を伝播する。フレキシブルタッチパッド３２への接触の位置は、第１及び第２の光ファイバ３１Ａ、３１Ｂを通じた第１及び第２の検出器３３Ａ、３３Ｂのそれぞれへの放射線伝播時間を分析することによって決定する。
【００５５】
２つの光ファイバ３１Ａ、３１Ｂが互い対して押される場合、放射線（つまり、電磁放射線、光、可視光、赤外線光）は、２つの光ファイバ３１Ａ、３１Ｂの間で伝播し得る。タッチパッド３２への接触（つまり、印加される圧力）の位置は、信号伝播時間を分析することによって取得されてよい。
【００５６】
図９に示される例示的な形態において、２つの光ファイバ３１Ａ、３１Ｂは、各端部のそれぞれに検出器３３Ａ、３３Ｂを有する。２つの光ファイバ３１Ａ、３１Ｂが互いに対して押される場合（つまり、フレキシブルタッチパッドへの接触に起因して）、２つの光ファイバ３１Ａ、３１Ｂは、２つの光ファイバ３１Ａ、３１Ｂの間に光を伝播させるような方法で構成される。
【００５７】
いくつかの形態において、第１の光ファイバ３１Ａは、交差せずに、フレキシブルタッチパッド３２上で脇から脇へ行ったり来たり蛇行する。さらに、第２の光ファイバ３１Ｂは、交差せずに、フレキシブルタッチパッド３２上で脇から脇へ行ったり来たり蛇行する。第１の光ファイバ３１Ａ及び第２の光ファイバ３１Ｂは、いくつかの位置において互いに交差する。
【００５８】
２つの光ファイバ３１Ａ、３１Ｂの間の放射線（つまり、光）の伝播を用いる場合の位置の検出の原理が、図１０に関連してここで説明される。２つの蛇行する光ファイバ３１Ａ、３１Ｂは、１つの交点３５だけを有する真っ直ぐな光ファイバ３４Ａ、３４Ｂによって置き換えられる。
【００５９】
複数の入力から検出器３３Ａ、３３Ｂへの伝播時間の測定は、距離ｘ１＋ｙ１、ｘ２＋ｙ２、ｘ１＋ｘ２、及びｙ１＋ｙ２を与える。これらから、決定された距離ｘ１、ｘ２、ｙ１、ｙ２が、交点３５の位置を規定するために計算され得る。
【００６０】
放射線伝播時間は、（ｉ）第１の放射線が、第１の光ファイバ３４Ａから第２の光ファイバ３４Ｂへの放射線の伝播の後に、第１の光ファイバ３４Ａを通じて第２の検出器３３Ｂに移動する、及び（ｉｉ）第２の放射線が、第２の光ファイバ３４Ｂから第１の光ファイバ３４Ａへの放射線の伝播の後に、第２の光ファイバ３４Ｂを通じて第１の検出器３３Ａに移動するために要する合計時間を測定することによって決定されてよい。いくつかの形態において、第１の放射線は、第２の放射線と異なる周波数である。
【００６１】
蛇行する光ファイバ３１Ａ、３１Ｂの複数の交点がある場合において、パルスは、他の光ファイバ（例えば、光ファイバ３１Ｂ）の検出器３３Ｂに到達するいくつかのパルスをもたらす１つの光ファイバ（例えば、光ファイバ３１Ａ）に供給されることに留意すべきである。検出器３３Ｂによって受け取られる各パルスは、ある交点に対応し、上で説明されたように分析されてよい。
【００６２】
図１１−１３は、図９に共に示される光ファイバ３１Ａ、３１Ｂを光ファイバ３１Ａ、３１Ｂの間に光を通過させるようにすることの進行を示す。いくつかの形態において、光ファイバ３１Ａ、３１Ｂは、各々、それを通じて光が伝播するコア３７Ａ、３７Ｂを含む。光ファイバ３１Ａ、３１Ｂは、コア３７Ａ、３７Ｂとそれぞれのクラッド３８Ａ、３８Ｂとの間の界面でのほぼ全反射を確保するより低い屈折率を有するクラッド３８Ａ、３８Ｂをさらに含んでよい。
【００６３】
図１１−１３に示されるように、互いに対して光ファイバ３１Ａ、３１Ｂを押すことで、コア３７Ａ、３７Ｂは、互いに非常に近接し（図１２参照）、最終的に接触し得る（図１３参照）。コア３７Ａ、３７Ｂが互いに十分に近接すると、光がコア３７Ａ、３７Ｂの間を伝播する。
【００６４】
図１２に示されるように、クラッド３８Ａ、３８Ｂは、圧縮性のクラッドであってよい（例えば、シリコーン材料を備える）。さらに、コア３７Ａ、３７Ｂは、フレキシブルタッチパッド３２に接触している状態でコア３７Ａ、３７Ｂの間の表面領域接触を増加させるために圧縮性があってよい（図１３参照）。
【００６５】
いくつかの形態において、コア３７Ａ、３７Ｂがほぼ接触又は接触する領域は、柔らかく変形可能なコア材料を用いることによって増加され得る。代替の形態において、コア３７Ａ、３７Ｂの外層だけがより柔らかい材料を備えてよい。
【００６６】
図１４は、フレキシブルタッチパッド４２を含む別の例示的なウェアラブルコンピューティングデバイス４０を示す。例示的なウェアラブルコンピューティングデバイス４０は、導電ファイバ４１Ａ、４１Ｂ上の圧力を検出する導電ファイバ４１Ａ、４１Ｂを含む。
【００６７】
導電ファイバ４１Ａ、４１Ｂは、図１４に示されるようにフレキシブルタッチパッド４２上に交差する構成で配置される複数の導電ファイバを含む。導電ファイバ４１Ａ、４１Ｂのそれぞれは、単一のファイバ又は複数のファイバの複合物であってよいことに留意すべきである。
【００６８】
例示的なウェアラブルコンピューティングデバイス４０は、フレキシブルタッチパッド４２に搭載された集積回路４４をさらに含む。集積回路４４は、交差している導電ファイバ４１Ａ、４１Ｂの間の抵抗の変化を検出することによって、フレキシブルタッチパッド４２への接触を解釈する。
【００６９】
導電ファイバ４１Ａ、４１Ｂは、電気信号を伝搬してよい。さらに、各導電ファイバは、フレキシブルタッチパッド４２への接触があるまで、全ての他の導電ファイバから電気的に絶縁されてよい。例として、導電ファイバ４１Ａ、４１Ｂは、ＤＲＡＭデバイスにおける複数のセルの位置からの既知の方法で接触位置を検出するように配置されてよく、用いられてよい。
【００７０】
ウェアラブルコンピューティングデバイス４０のための潜在的な動作原理の１つは、導電ファイバ４１Ａ、４１Ｂの接触に起因する複数のリーク値の変化に関する。例として、複数の導電ファイバへの接触に起因する特定のレベルより下への抵抗値の減少は、集積回路４４がフレキシブルタッチパッド４２への接触の位置を判断するために用いる論理的な０又は１を生成する。別の例として、導電ファイバ４１Ａ、４１Ｂが低い電流で電気的に絶縁される場合、導電ファイバ４１Ａ、４１Ｂは、論理的な０又は１を生成してよい。
【００７１】
ウェアラブルコンピューティングデバイス４０のための潜在的な動作原理の別のものは、ファイバ４１Ａ、４１Ｂの接触に起因する複数の抵抗値の変化に関する。ファイバ４１Ａ、４１Ｂの接触に起因する複数の抵抗値のこの変化は、電流信号又は電圧降下を生成する。
【００７２】
（ボタンの押下に相当する）複数の圧力入力がある場合、複数のノード４５は、交差する導電ファイバ４１Ａ、４１Ｂの間に生成されてよい。図１４は、３つのノード４５を生成する２つの圧力入力４３Ａ、４３Ｂを示す。水平導電ファイバ４１Ａと垂直導電ファイバ４１Ｂとの間の交点の抵抗の複数の変化は、フレキシブルタッチパッド４２への接触の位置を決定するノード４５を生成する。タッチセンサ式ディスプレイ４２上のこれらのノード４５の物理的な位置は、ウェアラブルコンピューティングデバイス４０へのユーザ入力を規定する。
【００７３】
ウェアラブルコンピューティングデバイス４０の形態は、情報が論理的な０及び１に限定されなくてもよい場合が考えられる。例として、論理０及び１の中間の状態は、この状態が圧力のレベルを評価するために用いられる場合に可能である。
【００７４】
ウェアラブルコンピューティングデバイス４０は、ウェアラブルコンピューティングデバイス４０によって実行されるアプリケーションと入力デバイスとの間の物理的な分離を提供してよい。例として、この分離は、荒らし行為、又はウェアラブルコンピューティングデバイス４０から入力を受け取る他の電子機器との任意の望まれていない関与を抑制し得る。
【００７５】
ウェアラブルコンピューティングデバイス４０は、また、比較的大きいサイズで作られてよい。ウェアラブルコンピューティングデバイス４０は、追加の導電ファイバ４１Ａ、４１Ｂを単に追加することによって、より大きく作られてよい。ウェアラブルコンピューティングデバイス４０の分解能は、いくつの導電ファイバ４１Ａ、４１Ｂがウェアラブルコンピューティングデバイス４０のサイズに相対的に含まれるかに部分的に依存する。本明細書で説明されるウェアラブルコンピューティングデバイス４０は、また、製造に対するコスト効果が高い。
【００７６】
図１５は、本明細書で説明される少なくとも１つのウェアラブルコンピューティングデバイス１、１０、２０、３０、４０を組み込む電子装置１５００のブロック図である。電子装置１５００は、本明細書で説明されるウェアラブルコンピューティングデバイス１、１０、２０、３０、４０の形態が用いられ得る電子装置の単に１つの例である。電子装置１５００の例は、これらに限定されないが、パーソナルコンピュータ、タブレットコンピュータ、携帯電話、ゲームデバイス、ＭＰ３、又は他のデジタルメディアプレーヤ等を含む。この例において、電子装置１５００は、電子装置１５００の様々なコンポーネントを結合するためのシステムバス１５０２を含むデータ処理システムを備える。システムバス１５０２は、電子装置１５００の様々なコンポーネントの中で複数の通信リンクを提供し、単一のバスとし、複数のバスの組み合わせとして、又は任意の他の適切な方法で実装されてよい。
【００７７】
本明細書で説明されるような電子装置１５００は、システムバス１５０２に結合されてよい。電子装置１５００は、任意の回路又は回路の組み合わせを含んでよい。１つの実施形態において、電子装置１５００は、任意のタイプであり得るプロセッサ１５１２を含む。本明細書で用いられるように、「プロセッサ」は、これらに限定されないが、例えば、マイクロプロセッサ、マイクロコントローラ、複合命令セットコンピューティング（ＣＩＳＣ）マイクロプロセッサ、縮小命令セットコンピューティング（ＲＩＳＣ）マイクロプロセッサ、超長命令語（ＶＬＩＷ）マイクロプロセッサ、グラフィックスプロセッサ、デジタルシグナルプロセッサ（ＤＳＰ）、マルチコアプロセッサ、又は任意の他のタイプのプロセッサ又は処理回路の、任意のタイプの計算回路を意味する。
【００７８】
電子装置１５００に含まれてよい他のタイプの回路は、カスタム回路、特定用途向け集積回路（ＡＳＩＣ）、又はその類のもの、例えば、１又は複数の回路（例えば、携帯電話のような無線デバイスでの使用のための通信回路１５１４等）、タブレットコンピュータ、ラップトップコンピュータ、双方向無線機、及び類似の電子システムである。ＩＣは、任意の他のタイプの機能を実行できる。
【００７９】
電子装置１５００は、また、外部メモリ１５２０を含んでよく、そして次に、それは、特定のアプリケーションに適切な１又は複数のメモリ要素、例えば、ランダムアクセスメモリ（ＲＡＭ）の形態でのメインメモリ１５２２、１又は複数のハードドライブ１５２４、及び／又は着脱可能メディア１５２６、例えば、コンパクトディスク（ＣＤ）、フラッシュメモリカード、デジタルビデオディスク、（ＤＶＤ）、及びその類のものを処理する１又は複数のドライブを含んでよい。
【００８０】
電子装置１５００は、また、ディスプレイデバイス１５１６、１又は複数のスピーカ１５１８、及びキーボード及び／又はコントローラ１５３０を含んでよく、それは、マウス、トラックボール、タッチパッド、音声認識デバイス、又はシステムのユーザに情報を入力させて電子装置１５００から情報を受け取らせる任意の他のデバイスを含むことができる。
【００８１】
本明細書で開示されるウェアラブルコンピューティングデバイス１、１０、２０、３０、４０をよりよく示すために、非限定的な例のリストが本明細書で提供される。
【００８２】
例１は、ウェアラブルコンピューティングデバイスを含む。ウェアラブルコンピューティングデバイスは、ユーザによって着用されるように構成されるフレキシブルタッチパッドと、フレキシブルタッチパッドに搭載された集積回路とを含む。集積回路は、フレキシブルタッチパッドへの接触を解釈する。送受信機は、フレキシブルタッチパッドに搭載される。送受信機は、別個の電子デバイスへ及びから信号を送信及び受信する。
【００８３】
例２は、例１のウェアラブルコンピューティングデバイスを含み、フレキシブルタッチパッドは、ユーザの体に直接搭載されるように構成される。
【００８４】
例３は、例１−２のいずれか一つのウェアラブルコンピューティングデバイスを含み、フレキシブルタッチパッドは、繊維に組み込まれるように構成される。
【００８５】
例４は、例１−３のいずれか一つのウェアラブルコンピューティングデバイスを含み、ウェアラブルコンピューティングデバイスをユーザの体に選択的に取り付けるための着脱機構をさらに含む。
【００８６】
例５は、例４のウェアラブルコンピューティングデバイスを含み、着脱機構は、ユーザによって着用される繊維へのウェアラブルコンピューティングデバイスの選択的な取り付けのためのフックアンドループファスナシステムを含む。
【００８７】
例６は、例４−５のいずれか一つのウェアラブルコンピューティングデバイスを含み、別個の電子デバイスは、ユーザによって着用されるように構成される。
【００８８】
例７は、ウェアラブルコンピューティングデバイスを含む。ウェアラブルコンピューティングデバイスは、ユーザによって着用されるように構成されるフレキシブルタッチパッドを含む。フレキシブルタッチパッドは、第１の伝送ラインと、フレキシブルタッチパッドに搭載された集積回路とを含む。集積回路は、第１の伝送ラインを通じて第１の電気信号を送信すること、及び第１の伝送ラインにおけるインピーダンスの局所的な変化を判断することによって、フレキシブルタッチパッドへの接触を解釈するように構成される。
【００８９】
例８は、例７のウェアラブルコンピューティングデバイスを含む、フレキシブルタッチパッドは、第２の伝送ラインを含み、集積回路は、第２の伝送ラインを通じて第２の電気信号を送信すること、及び第２の伝送ラインにおけるインピーダンスの局所的な変化を判断することによって、フレキシブルタッチパッドへの接触を解釈する。
【００９０】
例９は、例７−８のいずれか一つのウェアラブルコンピューティングデバイスを含み、第１の電気信号及び第２の電気信号は、各々、無線周波数信号である。
【００９１】
例１０は、例７−９のいずれか一つのウェアラブルコンピューティングデバイスを含み、第１の伝送ラインは、第１の伝送ラインと交差せずに、フレキシブルタッチパッド上で脇から脇へ行ったり来たり蛇行し、第２の伝送ラインは、第２の伝送ラインと交差せずに、フレキシブルタッチパッド上で脇から脇へ行ったり来たり蛇行する。
【００９２】
例１１は、例７−１０のいずれか一つのウェアラブルコンピューティングデバイスを含み、集積回路は、時間領域反射率測定法を用いて、第１の伝送ラインにおけるインピーダンスの局所的な変化を判断し、時間領域反射率測定法を用いて、第２の伝送ラインにおけるインピーダンスの局所的な変化を判断する。
【００９３】
例１２は、例９−１１のいずれか一つのウェアラブルコンピューティングデバイスを含み、第１の伝送ライン及び第２の伝送ラインは、いくつかの位置で互いに交差する。
【００９４】
例１３は、例１２のウェアラブルコンピューティングデバイスを含み、第１の伝送ライン及び第２の伝送ラインは、第１の伝送ライン及び第２の伝送ラインが互いに交差するところで、互いに直交する。
【００９５】
例１４は、ウェアラブルコンピューティングデバイスを含む。ウェアラブルコンピューティングデバイスは、ユーザによって着用されるように構成されるフレキシブルタッチパッドを含む。フレキシブルタッチパッドは、第１の光ファイバ及び第２の光ファイバを含む。フレキシブルタッチパッドは、第１の光ファイバの端部の第１の検出器と、第２の光ファイバの端部の第２の検出器とをさらに含む。集積回路は、フレキシブルタッチパッドに搭載される。集積回路は、第１及び第２の光ファイバを通じて第１及び第２の検出器のそれぞれに放射線を送信することによって、フレキシブルタッチパッドへの接触を解釈するように構成される。第１及び第２の光ファイバがフレキシブルタッチパッドへの接触に起因して強制的に互いに近づけられる場合、放射線は、第１及び第２の光ファイバの間を伝播する。タッチパッドへの接触の位置は、第１及び第２の光ファイバを通じた第１及び第２の検出器のそれぞれへの放射線伝播時間を分析することによって決定される。
【００９６】
例１５は、例１４のウェアラブルコンピューティングデバイスを含み、放射線は光である。
【００９７】
例１６は、例１４−１５のいずれか一つのウェアラブルコンピューティングデバイスを含み、第１の光ファイバは、交差せずに、フレキシブルタッチパッド上で脇から脇へ行ったり来たり蛇行し、第２の光ファイバは、交差せずに、フレキシブルタッチパッド上で脇から脇へ行ったり来たり蛇行し、第１の光ファイバ及び第２の光ファイバは、いくつかの位置で互いに交差する。
【００９８】
例１７は、例１４−１６のいずれか一つのウェアラブルコンピューティングデバイスを含み、第１の光ファイバ及び第２の光ファイバは、フレキシブルタッチパッドへの接触に起因して互い接触し、放射線伝播時間は、（ｉ）第１の放射線が、第１の光ファイバを通じて第２の光ファイバへそして第２の検出器へ移動する、及び（ｉｉ）第２の放射線が、第２の光ファイバを通じて第１の光ファイバへそして第１の検出器へ移動するために要する合計時間を測定することによって決定される。
【００９９】
例１８は、例１４−１７のいずれか一つのウェアラブルコンピューティングデバイスを含み、第１の放射線は、第２の放射線と異なる周波数である。
【０１００】
例１９は、例１４−１８のいずれか一つのウェアラブルコンピューティングデバイスを含み、第１及び第２の光ファイバは、各々、それを通じて放射線が伝播するコアと、複数のコアとそれぞれのクラッドとの間の界面での反射を可能にするために、コアより低い屈折率を有するクラッドとを含む。
【０１０１】
例２０は、例１９のウェアラブルコンピューティングデバイスを含み、複数のクラッドは、フレキシブルタッチパッドに接触している状態で複数のコアを共に移動させることを促進するために圧縮性があり、複数のコアは、フレキシブルタッチパッドに接触している状態で複数のコアの間の表面領域接触を増加させるために圧縮性があってよい。
【０１０２】
例２１は、ウェアラブルコンピューティングデバイスを含む。ウェアラブルコンピューティングデバイスは、ユーザによって着用されるように構成されるフレキシブルタッチパッドを含む。フレキシブルタッチパッドは、フレキシブルタッチパッド上に交差する構成で配置される複数の導電ファイバを含む。集積回路は、フレキシブルタッチパッドに搭載される。集積回路は、交差する複数の導電ファイバの間の抵抗の変化を検出することによって、フレキシブルタッチパッドへの接触を解釈する。
【０１０３】
例２２は、例２１のウェアラブルコンピューティングデバイスを含み、複数の導電ファイバは、交差する水平及び垂直構成で配置される。
【０１０４】
例２３は、例２１−２２のいずれか一つのウェアラブルコンピューティングデバイスを含み、各導電ファイバは、フレキシブルタッチパッドへの接触があるまで、全ての他の導電ファイバから電気的に絶縁される。
【０１０５】
例２４は、例２１−２３のいずれか一つのウェアラブルコンピューティングデバイスを含み、複数の導電ファイバは、電気信号を伝搬する。
【０１０６】
例２５は、例２１−２４のいずれか一つのウェアラブルコンピューティングデバイスを含み、複数の導電ファイバへの接触に起因する特定のレベルより下への抵抗値の減少は、集積回路がフレキシブルタッチパッドへの接触の位置を判断するために用いる論理的な０又は１を生成する。
【０１０７】
例２６は、例２１−２５のいずれか一つのウェアラブルコンピューティングデバイスを含み、水平導電ファイバと垂直導電ファイバとの間の交点の抵抗の複数の変化は、フレキシブルタッチパッドへの接触の位置を決定するノードを生成する。
【０１０８】
例２７は、ウェアラブルコンピューティングデバイスを含む。ウェアラブルコンピューティングデバイスは、ウェアラブルコンピューティングデバイスを着用するユーザによって着用されるように構成されるフレキシブルタッチパッドと、フレキシブルタッチパッドに搭載された集積回路とを含む。集積回路は、他の複数のユーザではなく、ウェアラブルコンピューティングデバイスを着用しているユーザによって接触が行われる場合だけ、フレキシブルタッチパッドへの接触を検出する。
【０１０９】
例２８は、例２７のウェアラブルコンピューティングデバイスを含み、集積回路は、ユーザの皮膚を通じて電気信号を送信することによって、他の複数のユーザではなく、ウェアラブルコンピューティングデバイスを着用しているユーザによってフレキシブルタッチパッドへの接触が行われていることだけを判断し、フレキシブルタッチパッドは、接触が電気信号をフレキシブルタッチパッドに通過させる場合だけ、フレキシブルタッチパッドへの接触を認識する。
【０１１０】
例２９は、例２８のウェアラブルコンピューティングデバイスを含み、集積回路は、ユーザの皮膚を通じてユーザの指に電気信号を送信する。この概要は、本主題の非限定的な例を提供することが意図される。排他的又は包括的な説明を提供することは意図されない。発明を実施するための形態は、複数の方法についてのさらなる情報を提供するために含まれる。
【０１１１】
上記の発明を実施するための形態は、発明を実施するための形態の一部を形成する添付の複数の図面への参照を含む。複数の図面は、例示として、本発明が実施されることができる具体的な実施形態を示す。これらの実施形態は、また、本明細書において「例」と呼ばれる。そのような例は、示された又は説明されたものに加えて複数の要素を含むことができる。しかし、本発明者らは、また、示された又は説明されたそれらの要素だけが提供される例を考えている。さらに、本発明者らは、また、本明細書に示された又は説明された特定の例（又はそれの１又は複数の態様）に対して、又は他の例（又はそれの１又は複数の態様）に対して、示された又は説明されたそれらの要素（又はそれの１又は複数の態様）の任意の組み合わせ又は置き換えを用いる例を考えている。
【０１１２】
この文書において、用語「ある（ａ）」又は「ある（ａｎ）」は、複数の特許文献において共通なように、１又は１より多いものを含むために用いられ、任意の他の例又は「少なくとも１つ」又は「１又は複数」の使用と無関係である。この文書において、特段の指示がない限り、用語「又は」は、非排他的、又は「Ａ又はＢ」が「ＡがありＢがない」、「ＢがありＡがない」、及び「Ａ及びＢ」を含むように言及するために用いられる。この文書において、用語「含む（ｉｎｃｌｕｄｉｎｇ）」及び「ここで（ｉｎ  ｗｈｉｃｈ）」は、用語「備える（ｃｏｍｐｒｉｓｉｎｇ）」及び「ここで（ｗｈｅｒｅｉｎ）」のそれぞれの平易な英語による同意義のものとして用いられる。また、以下の請求項において、用語「含む（ｉｎｃｌｕｄｉｎｇ）」及び「備える（ｃｏｍｐｒｉｓｉｎｇ）」は、制限のないものであり、すなわち、請求項におけるそのような用語の後に列挙されるものに加えて、複数の要素を含むシステム、デバイス、物品、組成物、処方、又は処理もまた、その請求項の範囲に含まれると見做される。さらに、以下の請求項において、用語「第１」、「第２」、及び「第３」等は、単にラベルとして用いられ、それらの対象に数値的要件を課すことは意図されない。
【０１１３】
上記の説明は、例示的であり制限的でないことが意図される。例えば、上で説明された例（又はそれの１又は複数の態様）は、互いに組み合わせて用いられてよい。上記の説明を検討することにより、例えば当業者によって、他の実施形態が用いられ得る。
【０１１４】
要約は、米国特許施行規則１．７２（ｂ）に準拠すべく、読み手に技術的な開示の本質を迅速に確認させるために提供される。それは、複数の請求項の範囲又は意味を解釈又は限定するために用いられないという理解の元で提出される。
【０１１５】
また、上記の発明を実施するための形態において、開示を簡素化すべく、様々な特徴が共にグループ化され得る。これは、請求されてない開示された特徴が任意の請求項に不可欠であることを意図するものとして解釈されるべきでない。むしろ、発明の主題は、特定の開示された実施形態の全ての特徴より少ないものであってよい。したがって、以下の請求項は、これによって、各請求項が別個の実施形態として独立して発明を実施するための形態に組み込まれ、そのような実施形態は、様々な組み合わせ又は置き換えにおいて互いに組み合わされることができると考えられる。発明の範囲は、添付の請求項を参照して、そのような請求項に権利が与えられる均等物の全範囲と併せて判断されるべきである。
【図１】
0006350677.tif 000002
【図２】
0006350677.tif 000003
【図３】
0006350677.tif 000004
【図４】
0006350677.tif 000005
【図５】
0006350677.tif 000006
【図６】
0006350677.tif 000007
【図７】
0006350677.tif 000008
【図８】
0006350677.tif 000009
【図９】
0006350677.tif 000010
【図１０】
0006350677.tif 000011
【図１１】
0006350677.tif 000012
【図１２】
0006350677.tif 000013
【図１３】
0006350677.tif 000014
【図１４】
0006350677.tif 000015
【図１５】
0006350677.tif 000016